(57)【要約】【課題】地震感知器を雨水の浸入から防水すると共に、地震感知器を誤作動させずに簡易に取り扱えるエレベータの地震感知装置を提供する。【解決手段】エレベータの地震感知装置１は、地震感知器２が取り付けられる台座３と、地震感知器２を覆う防水カバー４と、地震感知器２の操作盤５に対向し、開けることにより地震感知器２の保守点検及び復帰ボタン６の操作が可能であり、閉めることにより地震感知器２の防水が可能な開閉扉７ａ，７ｂと備え、開閉扉７ａ，７ｂは、その下端部にヒンジ１０が取付けられ、その上端部に留め金９が取り付けられ、手前に倒すことで開閉し、防水性を有する留め金９により封止される。【選択図】図１
2010159123.tif 000002
【特許請求の範囲】
【請求項１】
エレベータのピット内に設置される地震感知器を収納する地震感知装置において、
地震感知器が取り付けられる台座と、
地震感知器を覆う防水カバーと、
地震感知器の操作盤に対向し、開けることにより地震感知器の保守点検及び復帰ボタンの操作が可能であり、閉めることにより地震感知器の防水が可能な開閉扉と、
を備えることを特徴とするエレベータの地震感知装置。
【請求項２】
請求項１に記載のエレベータの地震感知装置であって、開閉扉の下端には開閉扉を回転させるヒンジを備え、開閉扉の上端には開閉扉を防水カバーに密着させる留め金を備えることを特徴とするエレベータの地震感知装置。
【請求項３】
請求項１又は２に記載のエレベータの地震感知装置であって、開閉扉の下端には、開閉扉を略水平の位置に保持する保持板を備えることを特徴とするエレベータの地震感知装置。
【請求項４】
請求項１乃至３のいずれか１に記載のエレベータの地震感知装置であって、
地震感知器に設けられた復帰ボタンの押圧を検知してリセット信号を発信するリセット信号発信部と、
開閉扉の閉鎖を検知して扉閉鎖信号を発信する扉閉鎖信号発信部と、
リセット信号発信部からリセット信号を受信せずに扉閉鎖信号発信部からの扉閉鎖信号を受信すると、復帰ボタン押し忘れ情報を発信する復帰ボタン確認部と、
復帰ボタン確認部からの復帰ボタン押し忘れ情報を受信して、復帰ボタンの押し忘れを警告する警報発報部と、
を備えることを特徴とするエレベータの地震感知装置。
【請求項５】
請求項４に記載のエレベータの地震感知装置であって、警報発報部は、音声手段、ブザー警報、又は表示手段のいずれかにより復帰ボタンの押し忘れを警告することを特徴とするエレベータの地震感知装置。
【発明の詳細な説明】
【技術分野】
【０００１】
本発明は、エレベータの地震感知装置に係り、特に、エレベータのピット内に設置される地震感知器を収納する地震感知装置に関する。
【背景技術】
【０００２】
従来のエレベータのピット内に設置される地震感知装置は、暴風雨時にエレベータの外部から侵入する雨水に対処するため開口部のない一体型の防水カバーで地震感知器を覆っていた。そのため、地震発生時には防水カバーを取り外して地震感知器を復帰させていた。
【０００３】
この地震感知器には、復帰ボタンが設けられている。作業員が地震感知器の保守点検をする際には、この地震感知器を動作させて確認した後に、この復帰ボタンを押すことで地震感知器をリセットする。しかし、作業員が地震感知器の保守点検の終了後にこの復帰ボタンを押し忘れると、エレベータは停止したまま動かない。その場合には、作業員はエレベータのピット内に戻り、復帰ボタンを押すという作業が追加される。
【０００４】
一方、特許文献１には、エレベータの地震感知装置が開示されている。図４に特許文献１のエレベータの地震感知装置を示す。ここでは、地震感知器本体３１は外カバー３２を有し、外カバー３２の上面に復帰ボタン３３に対向する位置に点検用窓３８と、点検用窓３８を覆う透明プレート３５を有することが記載されている。そして、この点検用窓３８の外方に複数個の突出体３６を有し、この突出体３６が脱着自在に嵌合可能な嵌合穴３７を透明プレート３５に複数個有する構成となっている。
【先行技術文献】
【特許文献】
【０００５】
【特許文献１】特開２００１−３５４３７１号公報
【発明の開示】
【発明が解決しようとする課題】
【０００６】
従来のエレベータのピット内に設置される地震感知装置は、防水カバーに開口部を有していないため、防水カバーの取付け時に防水カバーを地震感知器に接触させてしまい、誤作動を誘発する虞があった。
【０００７】
また、特許文献１に開示された地震感知装置の点検窓では、開口部の防水性が確保されず、さらに、地震感知器の保守点検の際にはこの点検窓から保守点検作業ができないという問題があった。
【０００８】
本願の目的は、かかる課題を解決し、地震感知器を雨水の浸入から防水すると共に、地震感知器を誤作動させずに簡易に取り扱えるエレベータの地震感知装置を提供することである。
【課題を解決するための手段】
【０００９】
上記目的を達成するため、本発明に係るエレベータの地震感知装置は、エレベータのピット内に設置される地震感知器を収納する地震感知装置において、地震感知器が取り付けられる台座と、地震感知器を覆う防水カバーと、地震感知器の操作盤に対向し、開けることにより地震感知器の保守点検及び復帰ボタンの操作が可能であり、閉めることにより地震感知器の防水が可能な開閉扉と、を備えることを特徴とする。
【００１０】
上記構成により、エレベータの地震感知装置は、開閉扉を設置することで防水カバーと協同して地震感知器を防水することができる。同時に、開閉扉の開閉により地震感知器が操作できることから、地震感知器を誤作動させずに簡易に取り扱うことができる。
【００１１】
また、エレベータの地震感知装置は、開閉扉の下端には開閉扉を回転させるヒンジを備え、開閉扉の上端には開閉扉を防水カバーに密着させる留め金を備えることが好ましい。これにより、留め金により開閉扉を防水カバーに密着させて地震感知器の防水性を確保することができる。
【００１２】
また、エレベータの地震感知装置は、開閉扉の下端には、開閉扉を略水平の位置に保持する保持板を備えることが好ましい。これにより、開閉扉を開いたまま地震感知器の保守点検などの作業が簡易にできる。
【００１３】
また、エレベータの地震感知装置は、地震感知器に設けられた復帰ボタンの押圧を検知してリセット信号を発信するリセット信号発信部と、開閉扉の閉鎖を検知して扉閉鎖信号を発信する扉閉鎖信号発信部と、リセット信号発信部からリセット信号を受信せずに扉閉鎖信号発信部からの扉閉鎖信号を受信すると、復帰ボタン押し忘れ情報を発信する復帰ボタン確認部と、復帰ボタン確認部からの復帰ボタン押し忘れ情報を受信して、復帰ボタンの押し忘れを警告する警報発報部と、を備えることが好ましい。これにより、開閉扉を設置することで、作業員が復帰ボタンを押し忘れて開閉扉を閉めた場合に、復帰ボタンの押し忘れを警告することができる。
【００１４】
さらに、エレベータの地震感知装置は、警報発報部は、音声手段、ブザー警報、或いは表示手段により復帰ボタンの押し忘れを警告することが好ましい。これにより、作業員に対して復帰ボタンの押し忘れが警告できる。
【発明の効果】
【００１５】
以上のように、本発明に係るエレベータの地震感知装置によれば、地震感知器を雨水の浸入から防水すると共に、地震感知器を誤作動させずに簡易に取り扱えるエレベータの地震感知装置を提供することが可能となる。
【発明を実施するための最良の形態】
【００１６】
以下に、図面を用いて本発明に係るエレベータの地震感知装置の実施の形態につき、詳細に説明する。
【００１７】
（第１実施形態）
図１に、エレベータの地震感知装置の第１の実施形態の概略構成を示す。図１（ａ）は、エレベータの地震感知装置１の正面図であり、図１（ｂ）は、図１（ａ）のＡ−Ａ断面図である。エレベータの地震感知装置１は、台座３、防水カバー４、及び開閉扉７から構成される。
【００１８】
台座３は、ピット床面１１上に設置され、地震感知器２を所定の高さまで揚げて支持する。これにより、暴風時などにピット床面１１に浸入する雨水から地震感知器２を保護する。また、作業員が地震感知器２の保守点検の際に作業がし易くなる。防水カバー４は、地震感知器２の操作盤５に対向する前面以外の面を覆い、地震感知器２の防水性を確保する。
【００１９】
開閉扉７ａは、地震感知器２の操作盤５に対向する前面に設置される。この開閉扉７ａの下端にはヒンジ１０が取付けられ、防水カバー４に対して開閉扉７ａを回転自在にする。そして、開閉扉７ａは、手前に倒すことで開閉し、図１（ｂ）にて符号７ｂに示すように、扉保持板１２により略水平となった位置に保持される。これにより、作業員は、開閉扉７ａを開けて開閉扉７ｂとし、操作盤５の前面から地震感知器２の保守点検及び復帰ボタン６の操作ができる。
【００２０】
また、開閉扉７ａの上端には留め金９が取り付けられる。この留め金９は、開閉扉７ａが防水カバー４に接触して閉じられた状態で、開閉扉７ａにフックを掛けて固定する。防水カバー４の開閉扉７ａと接触する部分には防水パッキン８が設けられ、留め金９は、防水パッキン８の弾力性を利用して開閉扉７ａを防水カバー４に押し付ける。これにより、開閉扉７ａと防水カバー４との隙間は封止され、地震感知器２の防水性が確保される。
【００２１】
（第２実施形態）
図２に、エレベータの地震感知装置の他の実施形態の概略構成を示す。図２（ａ）は、エレベータの地震感知装置３０の正面図であり、図２（ｂ）は、図２（ａ）のＢ−Ｂ断面図である。エレベータの地震感知装置３０は、台座３、防水カバー３４、及び開閉扉３７から構成される。
【００２２】
台座３は、ピット床面１１上に設けられたベース４５上に設置され、地震感知器２を所定の高さまで揚げて支持する。これにより、地震感知器２を暴風時などにピット床面１１に浸入する雨水から保護し、また、作業員が地震感知器２の保守点検の際に作業がし易くなる。防水カバー３４は、台座３３及び地震感知器２の双方を地震感知器２の操作盤５に対向する前面以外の面を覆い、地震感知器２の防水性を確保する。
【００２３】
開閉扉３７ａは、地震感知器２の操作盤５に対向する前面に設置される。この開閉扉３７ａの下端部にヒンジ４０が取付けられ、防水カバー３４に対して開閉扉３７ａを回転自在にする。そして、開閉扉３７ａは、手前に倒すことで開閉し、図２（ｂ）にて符号３７ｂに示すように、扉保持板４２により略水平となった位置に保持される。これにより、作業員は、開閉扉３７ａを開けて開閉扉３７ｂとし、操作盤５の前面から地震感知器２の保守点検及び復帰ボタン６の操作ができる。
【００２４】
また、開閉扉３７ａの上端部には留め金３９が取り付けられる。この留め金３９は、開閉扉３７ａが防水カバー３４に接触して閉じられた状態で、開閉扉３７ａにフックを掛けて固定する。防水カバー３４の開閉扉３７ａと接触する部分には防水パッキン３８が設けられ、留め金３９は、防水パッキン３８の弾力性を利用して開閉扉３７を防水カバー３４に押し付ける。これにより、開閉扉３７ａと防水カバー３４との隙間は封止され、地震感知器２の防水性が確保できる。
【００２５】
（復帰ボタン押し忘れ警告機構）
上述したように、作業員が地震感知器２の保守点検をする際には、この地震感知器２を動作させて確認した後に、復帰ボタン６を押すことで地震感知器２をリセットする。しかし、作業員が地震感知器２の保守点検の終了後にこの復帰ボタン６を押し忘れると、エレベータは停止したまま動かない。そこで、上述した本発明に係るエレベータの地震感知装置１，３０は、復帰ボタン押し忘れ警告機構を備える。
【００２６】
図３に、復帰ボタン押し忘れ警告機構５０を示す。復帰ボタン押し忘れ警告機構５０は、リセット信号発信部５１、扉閉鎖信号発信部５２、復帰ボタン確認部５３、及び警報発報部５４から構成される。
【００２７】
リセット信号発信部５１は、地震感知器２に設けられた復帰ボタン６の押圧を検知してリセット信号５５を発信する。扉閉鎖信号発信部５２は、留め金９，３９に設けられ、開閉扉７ａ，３７ａの閉鎖を検知して扉閉鎖信号５６を発信する。復帰ボタン確認部５３は、リセット信号発信部５１からリセット信号５５を受信せずに扉閉鎖信号発信部５２からの扉閉鎖信号５６を受信すると、復帰ボタン押し忘れ情報を発信する。また、復帰ボタン確認部５３は、リセット信号発信部５１からリセット信号５５を受信すると扉閉鎖信号発信部５２からの扉閉鎖信号５６の受信にかかわらず復帰ボタン押し忘れ情報を発信しない。そして、警報発報部５４は、復帰ボタン確認部５３からの警報を受信して、作業員に復帰ボタン６の押し忘れを警告する。
【００２８】
警報発報部５４は、操作盤５に設けられた音声手段、ブザー警報、又は表示手段のいずれかである、図１及び図２に示す警報手段５７より復帰ボタン６の押し忘れを作業員に発報する。
【００２９】
このように、地震感知器２を収納する地震感知装置１，３０に開閉扉７，３７を設置することで、作業員が復帰ボタン６を押し忘れて開閉扉７，３７を閉めた場合に、作業員に復帰ボタン６の押し忘れを警告することができる。
【図面の簡単な説明】
【００３０】
【図１】本発明に係るエレベータの地震感知装置の第１実施形態の概略構成を示す正面図及び断面図である。
【図２】本発明に係るエレベータの地震感知装置の第２実施形態の概略構成を示す正面図及び断面図である。
【図３】復帰ボタン押し忘れ警告機構についての説明図である。
【図４】特許文献１に記載されたエレベータの地震感知装置の断面図である。
【符号の説明】
【００３１】
１，３０  （エレベータの）地震感知装置、２  地震感知器、３  台座、４，３４  防水カバー、５  操作盤、６，３３  復帰ボタン、７ａ，７ｂ，３７ａ，３７ｂ  開閉扉、８，３８  防水パッキン、９，３９  留め金、１０，４０  ヒンジ、１１  ピット床面、１２，４２  扉保持板、３１  地震感知器本体、３２  外カバー、３５  透明プレート、３６  突出体、３７  嵌合穴、３８  点検用窓、４５  ベース、５０  復帰ボタン押し忘れ警告機構、５１  リセット信号発信部、５２  扉閉鎖信号発信部、５３  復帰ボタン確認部、５４  警報発報部、５５  リセット信号、５６  扉閉鎖信号、５７  警報手段。
【図１】
2010159123.tif 000003
【図２】
2010159123.tif 000004
【図３】
2010159123.tif 000005
【図４】
2010159123.tif 000006